【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
受信部と、
圧縮画像本体データと圧縮コードとを備える圧縮画像データを受け取るように構成された送信部
とを備え、
前記圧縮コードが前記圧縮画像データの生成に用いられた圧縮処理を示しており、
前記送信部が、
前記圧縮画像本体データと、信号線を用いて前記受信部に先に伝送された直前伝送データとのビット比較を行い、
前記圧縮画像本体データと、そのビット反転データとのうちの一方のデータを前記ビット比較に基づいて選択し、
前記圧縮コードと、選択した前記一方のデータとを備える対象伝送データを、前記信号線を用いて前記受信部に送信する
ように構成された
画像データ伝送システム。
【請求項２】
前記送信部が、更に、前記ビット比較に応じて、選択した前記一方のデータを前記対象伝送データに組み込み、前記ビット比較に無関係に前記圧縮コードを前記対象伝送データに組み込むように構成された
請求項１に記載の画像データ伝送システム。
【請求項３】
前記送信部が、更に、前記圧縮画像本体データと前記ビット反転データとのうちから選択された前記一方のデータを示す反転指示ビットを前記受信部に送信するように構成され、
前記受信部は、前記対象伝送データを受信し、受信圧縮画像データを出力するように構成され、
前記受信部が、更に、前記反転指示ビットに応じて、前記対象伝送データに含まれる前記圧縮画像本体データと前記対象伝送データに含まれる前記ビット反転データに対してビット反転を行って得られるデータとの一方を前記受信圧縮画像データに組み込むように構成された
請求項１に記載の画像データ伝送システム。
【請求項４】
前記受信部が、更に、前記対象伝送データに含まれる前記圧縮コードを前記反転指示ビットに無関係に前記受信圧縮画像データに組み込むように構成された
請求項３に記載の画像データ伝送システム。
【請求項５】
前記受信部が、更に、前記反転指示ビットが前記圧縮画像本体データを示しているとき、前記対象伝送データに含まれる前記圧縮画像本体データを前記受信圧縮画像データに組み込むように構成された
請求項３又は４に記載の画像データ伝送システム。
【請求項６】
前記受信部が、更に、前記反転指示ビットが前記ビット反転データを示しているとき、前記ビット反転データに対して前記ビット反転を行って得られる前記データを前記受信圧縮画像データに組み込むように構成された
請求項３乃至５のいずれか１項に記載の画像データ伝送システム。
【請求項７】
前記圧縮画像データの生成に用いられる圧縮処理が、複数の圧縮処理のうちから選択される
請求項１乃至６のいずれか１項に記載の画像データ伝送システム。
【請求項８】
請求項１又は２に記載の画像データ伝送システムであって、
前記圧縮画像データの前記圧縮コードのビット数は、前記複数の圧縮処理の選択に依存しており、
前記送信部が、更に、前記圧縮画像データの前記圧縮コードのビット数を認識し、認識された前記圧縮コードのビット数に基づいて、前記圧縮画像本体データと前記ビット反転データとのうちから選択された前記一方のデータが伝送される信号線を選択するように構成され、
前記送信部が、更に、前記ビット比較において、前記圧縮画像データの前記圧縮画像本体データのビットと、前記選択された前記信号線で伝送された前記直前伝送データの対応するビットとを比較するように構成された
請求項７に記載の画像データ伝送システム。
【請求項９】
前記ビット比較が、前記圧縮画像データの前記圧縮コードについては行われない
請求項８に記載の画像データ伝送システム。
【請求項１０】
前記受信部が、更に、前記対象伝送データに含まれる前記圧縮コードのビット数を認識し、前記反転指示ビットと認識された前記圧縮コードのビット数とに応じて、前記対象伝送データに含まれる前記圧縮画像本体データと前記対象伝送データに含まれる前記ビット反転データに対してビット反転を行って得られるデータとのうちから選択された一方のデータを前記受信圧縮画像データに組み込むように構成された
請求項３に記載の画像データ伝送システム。
【請求項１１】
前記受信部が、更に、前記反転指示ビットに無関係に前記対象伝送データに含まれる前記圧縮コードを前記受信圧縮画像データに組み込むように構成された
請求項１０に記載の画像データ伝送システム。
【請求項１２】
更に、
画像データを受け取り、前記画像データの特徴に応じて複数の圧縮処理のうちから前記圧縮画像データの生成に用いられる前記圧縮処理を選択し、選択した前記圧縮処理を行うことで前記圧縮画像データを生成するように構成された圧縮部を備える
請求項１乃至６のいずれか１項に記載の画像データ伝送システム。
【請求項１３】
圧縮画像本体データと圧縮コードとを備える圧縮画像データであって、前記圧縮コードが当該圧縮画像データの生成に用いられた圧縮処理を示すものである圧縮画像データを受け取り、前記圧縮画像本体データと、信号線を用いて受信部に先に伝送された直前伝送データとのビット比較を行い、前記圧縮画像本体データと、そのビット反転データとの一方のデータを前記ビット比較に基づいて選択し、選択した前記一方のデータを前記信号線を用いて前記受信部に送信するように構成された回路と、
前記圧縮コードと選択した前記一方のデータとを備える対象伝送データを、前記信号線を用いて前記受信部に送信するように構成されたインターフェース
とを備える
送信回路。
【請求項１４】
前記回路が、更に、前記ビット比較に応じて、選択した前記一方のデータを前記対象伝送データに組み込み、前記ビット比較に無関係に前記圧縮コードを前記対象伝送データに組み込むように構成された
請求項１３に記載の送信回路。
【請求項１５】
前記回路が、更に、前記圧縮画像本体データと前記ビット反転データとのうちの選択された前記一方のデータを示す反転指示ビットを前記受信部に送信するように構成された
請求項１３又は１４に記載の送信回路。
【請求項１６】
前記圧縮画像データの生成に用いられる圧縮処理が、複数の圧縮処理のうちから選択される
請求項１３乃至１５のいずれか１項に記載の送信回路。
【請求項１７】
前記圧縮コードのビット数が前記複数の圧縮処理の選択に依存し、
前記回路が、更に、前記圧縮画像データの前記圧縮コードのビット数を認識し、認識された前記圧縮コードのビット数に基づいて、前記圧縮画像本体データと前記ビット反転データとのうちの選択された前記一方のデータが伝送される信号線を選択するように構成され、
前記回路が、更に、前記ビット比較において、前記圧縮画像データの前記圧縮画像本体データのビットと、前記選択された信号線で伝送された前記直前伝送データの対応するビットとを比較するように構成された
請求項１６に記載の送信回路。
【請求項１８】
圧縮画像データから生成された伝送データと反転指示ビットとを外部から受け取るインターフェースと、
前記反転指示ビットに応じて、受け取った前記伝送データに対応する受信圧縮画像データを出力するように構成された回路
とを備え、
前記圧縮画像データは、圧縮処理によって生成され、前記圧縮処理を示す圧縮コードと圧縮画像本体データとを含み、
前記伝送データは、前記圧縮画像本体データとそのビット反転データのうちから選択された一方のデータと、前記圧縮コードとを含み、
前記反転指示ビットは、前記圧縮画像本体データ又は前記ビット反転データのうちの選択された前記一方のデータを示しており、
前記回路は、前記反転指示ビットに応じて、前記伝送データに含まれる前記圧縮画像本体データと前記伝送データに含まれる前記ビット反転データに対してビット反転を行って得られるデータとのうちから選択された一方のデータを前記受信圧縮画像データに組み込み、前記圧縮コードを前記受信圧縮画像データに前記反転指示ビットに依存せずに組み込むように構成された
受信回路。
【請求項１９】
前記回路が、更に、前記反転指示ビットが前記ビット反転データを示しているとき、前記ビット反転データに対して前記ビット反転を行って得られた前記データを前記受信圧縮画像データに組み込むように構成された
請求項１８に記載の受信回路。
【請求項２０】
前記回路が、更に、前記伝送データに含まれる前記圧縮コードのビット数を認識し、認識した前記圧縮コードの前記ビット数に基づいて、前記伝送データにおいて、前記圧縮コードと前記圧縮画像本体データと前記ビット反転データとのうちの選択された前記一方のデータとを認識する
請求項１８又は１９に記載の受信回路。